(57)【要約】【課題】解像度を向上できるとともに、品質及び信頼性の高い陰極線管を提供することを目的とする。【解決手段】電子銃構体７におけるプリフォーカスレンズ部は、電子ビーム発生部側に配置された第２グリッドＧ２と、主レンズ部側に配置された第３グリッドＧ３と、第２グリッドＧ２と第３グリッドＧ３との間に配置されたシールドグリッドＧＳとを備えて構成される。シールドグリッドＧＳは、第３グリッドＧ３の第２グリッドＧ２側の外周を取り囲み管軸Ｚに平行な側壁を有するカップ状電極であり、その底面を第２グリッドＧ２側に向けて配置されるとともに、その開放端を第３グリッドＧ３側に向けて配置されている。第２グリッドＧ２、シールドグリッドＧＳ、第３グリッドＧ３に印加する電位をそれぞれＥｃ、Ｖｆ、及びＥｒとすると、Ｅｃ＜Ｖｆ＜Ｅｒの関係を満たすことを特徴とする。【選択図】          図２
2004207214.tif 000002
【特許請求の範囲】
【請求項１】
電子ビームを発生する電子ビーム発生部、前記電子ビーム発生部から発生された電子ビームをプリフォーカスするプリフォーカスレンズ部、及び、前記プリフォーカスレンズ部によりプリフォーカスされた電子ビームを蛍光体スクリーン上にフォーカスする主レンズ部を有する電子銃構体を備えた陰極線管において、
前記プリフォーカスレンズ部は、少なくとも、前記電子ビーム発生部側に配置された第１プリフォーカス電極と、前記主レンズ部側に配置された第２プリフォーカス電極と、前記第１プリフォーカス電極と前記第２プリフォーカス電極との間に配置された補助電極とを備え、
前記補助電極は、前記第２プリフォーカス電極の前記第１プリフォーカス電極側の外周を取り囲み管軸に平行な側壁を有するカップ状電極であり、その底面を前記第１プリフォーカス電極側に向けて配置されるとともに、その開放端を前記第２プリフォーカス電極側に向けて配置され、
前記第１プリフォーカス電極、前記第２プリフォーカス電極、及び前記補助電極に印加する電位をそれぞれＥ１、Ｅ２、及びＥｓとすると、Ｅ１＜Ｅｓ＜Ｅ２の関係を満たすことを特徴とする陰極線管。
【請求項２】
電子ビームを発生する電子ビーム発生部、前記電子ビーム発生部から発生された電子ビームをプリフォーカスするプリフォーカスレンズ部、前記プリフォーカスレンズ部によりプリフォーカスされた電子ビームを蛍光体スクリーン上にフォーカスする主レンズ部、及び、これらを構成するカソード及び電極を支持固定する絶縁支持体を有する電子銃構体を備えた陰極線管において、
前記プリフォーカスレンズ部は、少なくとも、前記電子ビーム発生部側に配置された第１プリフォーカス電極と、前記主レンズ部側に配置された第２プリフォーカス電極と、前記第１プリフォーカス電極と前記第２プリフォーカス電極との間に配置された補助電極とを備え、
前記補助電極は、前記第２プリフォーカス電極の前記第１プリフォーカス電極側の外周を取り囲み管軸に平行な側壁を有するカップ状電極であり、その底面を前記第１プリフォーカス電極側に向けて配置されるとともに、その開放端を前記第２プリフォーカス電極側に向けて配置され、
さらに、前記補助電極近傍で前記電子銃構体が封入されるネックと前記絶縁支持体との間に前記絶縁支持体を取り囲むように形成されしかも前記補助電極に接続された導電性リボンと、前記導電性リボン近傍の前記ネック側の前記絶縁支持体表面上及び前記絶縁支持体側の前記ネック表面上とに形成された導電膜とを備え、
前記第１プリフォーカス電極、前記第２プリフォーカス電極、及び前記補助電極に印加する電位をそれぞれＥ１、Ｅ２、及びＥｓとすると、Ｅ１＜Ｅｓ＜Ｅ２の関係を満たすことを特徴とする陰極線管。
【請求項３】
前記電子銃構体の近傍に配設された抵抗器を有し、前記抵抗器によって分圧された分圧電圧を前記第２プリフォーカス電極に印加することを特徴とする請求項１または２に記載の陰極線管。
【請求項４】
前記第２プリフォーカス電極に印加される電位Ｅ２は、アノード電圧の略７０％以下であることを特徴とする請求項１または２に記載の陰極線管。
【請求項５】
前記電子銃構体は、水平方向に一列に配列された複数の電子ビームを発生する電子ビーム発生部を備え、
前記補助電極の前記底面は、複数の電子ビームが共通に通過する水平方向に長軸を有する電子ビーム通過孔を有することを特徴とする請求項１または２に記載の陰極線管。
【請求項６】
前記底面は、前記電子ビーム通過孔から前記開放端に向かって延出された管軸に平行な側壁を備えたことを特徴とする請求項５に記載の陰極線管。
【請求項７】
前記主レンズ部は、少なくとも、所定の直流電圧にパラボラ状に変化する交流電圧成分を重畳したダイナミックフォーカス電圧が印加されるフォーカス電極と、アノード電圧が印加されるアノード電極とを備え、内部に４極子レンズを形成することを特徴とする請求項１または２に記載の陰極線管。
【請求項８】
前記電子銃構体の近傍に配設された抵抗器を有し、前記抵抗器によって分圧された分圧電圧を前記補助電極に印加することを特徴とする請求項１または２に記載の陰極線管。
【発明の詳細な説明】
【０００１】
【発明の属する技術分野】
この発明は、少なくとも１つ以上の電子ビームを放出する電子銃構体を備えた陰極線管に係り、特に、電子ビームの集束特性を向上させて、画面全域にわたって高解像度が得られる陰極線管に関する。
【０００２】
【従来の技術】
現在主流のセルフコンバーゼンス方式インライン型カラー陰極線管は、水平方向に一列に配列された３電子ビームを放出するインライン型電子銃構体を備えている。このような電子銃構体は、電子ビームを発生する電子ビーム発生部、電子ビーム発生部から発生された電子ビームをプリフォーカスするプリフォーカスレンズ部、及び、前記プリフォーカスレンズ部によりプリフォーカスされた電子ビームを最終的に蛍光体スクリーン上にフォーカスする主レンズ部を有して構成されている。
【０００３】
一般的にカラー陰極線管の解像度は、蛍光体スクリーン上のビームスポットの大きさ及び形状に依存する。したがって、解像度を良好にする為には、蛍光体スクリーン上のビームスポットをできる限り小さく、かつ歪みの少ない形状に形成することが必要である。
【０００４】
蛍光体スクリーン上でのビームスポットを小さくする１つの手法として、プリフォーカスレンズ部のレンズ強度を強化し、主レンズ部に入射する電子ビームの発散角を小さくすることが有効である。プリフォーカスレンズ部のレンズ強度を強化するためには、プリフォーカスレンズ部を構成する１つのグリッドの電位を他のグリッドより高くして、プリフォーカスレンズ部のグリッド間の電位差を大きくすることが必要となる。しかしながら、高い電位を外部から供給することはネックピン間の耐電圧特性の観点から制約されている。
【０００５】
そこで、この問題を解決する手段として、プリフォーカスレンズ部を構成するグリッドに対して、陰極線管内に配置された抵抗器を介して高い電位を供給することで、ビームスポットを径小化する方法が提案されている（例えば、特許文献１参照。）。
【０００６】
これによれば、電子銃構体は、カソード、第１グリッド、第２グリッド、第３グリッド、第４グリッド、第５グリッド、第６グリッド、第７グリッド、及びこれらグリッドの近傍に配設された抵抗器を備えている。第３グリッドには、抵抗器によりアノード電圧を分圧することにより、フォーカス電圧より高くアノード電圧より低い電圧が印加されている。このように第３グリッドに対して陰極線管内部において高い電位を供給することにより、ネックピン間の耐電圧特性を劣化することなく、第２グリッドと第３グリッドとにより形成されるプリフォーカスレンズ部のレンズ強度を強化することができ、蛍光体スクリーン上のビームスポットの径小化を達成できる。
【０００７】
【特許文献１】
特開２０００−３３１６２４号公報
【０００８】
【発明が解決しようとする課題】
しかしながら、上述した構造の電子銃構体によれば、以下のような問題が発生する。
【０００９】
通常、第２グリッドには数百Ｖの電圧が印加されるとともに、第３グリッドには６乃至９ｋＶの電圧が印加されるため、第２グリッドと第３グリッドとの間の電位差は大きい。プリフォーカスレンズ部のレンズ強度を強化するために、これら第２グリッドと第３グリッドとの間の電位差をさらに大きくすることになり、これらのグリッド間での耐電圧特性が劣化するおそれがある。また、このプリフォーカスレンズ部の近傍には、カソードが存在するため、カソードより放出された熱電子が多く存在し、かつ高温となっている。すなわち、耐電圧特性を考慮すると非常に劣悪な環境となっている。
【００１０】
したがって、このような電子銃構体に通常よりもさらに高い電位を第３グリッドに印加すると、第２グリッドと第３グリッドとの間の耐電圧特性の劣化や、ネック電位の上昇によるカソード〜第３グリッド間にかけての耐電圧特性の劣化を招くことになる。この結果、放電によるカソードの損傷や、リーク電流による電圧変化により生じる解像度の劣化などを招くだけでなく、最悪の場合には、放電による陰極線管の破壊を招く恐れすらある。
【００１１】
この発明は、上述した問題点を解決するためになされたものであり、その目的は、解像度を向上できるとともに、品質及び信頼性の高い陰極線管を提供することにある。
【００１２】
【課題を解決するための手段】
この発明の様態による陰極線管は、
電子ビームを発生する電子ビーム発生部、前記電子ビーム発生部から発生された電子ビームをプリフォーカスするプリフォーカスレンズ部、及び、前記プリフォーカスレンズ部によりプリフォーカスされた電子ビームを蛍光体スクリーン上にフォーカスする主レンズ部を有する電子銃構体を備えた陰極線管において、
前記プリフォーカスレンズ部は、少なくとも、前記電子ビーム発生部側に配置された第１プリフォーカス電極と、前記主レンズ部側に配置された第２プリフォーカス電極と、前記第１プリフォーカス電極と前記第２プリフォーカス電極との間に配置された補助電極とを備え、
前記補助電極は、前記第２プリフォーカス電極の前記第１プリフォーカス電極側の外周を取り囲み管軸に平行な側壁を有するカップ状電極であり、その底面を前記第１プリフォーカス電極側に向けて配置されるとともに、その開放端を前記第２プリフォーカス電極側に向けて配置され、
前記第１プリフォーカス電極、前記第２プリフォーカス電極、及び前記補助電極に印加する電位をそれぞれＥ１、Ｅ２、及びＥｓとすると、Ｅ１＜Ｅｓ＜Ｅ２の関係を満たすことを特徴とする。
【００１３】
この陰極線管によれば、プリフォーカスレンズ部を構成する第１プリフォーカス電極と第２プリフォーカス電極との間の電位差を大きくすることができ、プリフォーカスレンズ部のレンズ強度を強化することができる。このため、蛍光体スクリーン全域に亘ってビームスポットを径小化することができ、陰極線管の解像度を向上させることができる。
【００１４】
また、この陰極線管によれば、高電位が印加される第２プリフォーカス電極の第１プリフォーカス電極側は、カップ状の補助電極によって取り囲まれている。しかも、第１プリフォーカス電極、第２プリフォーカス電極、及び補助電極に印加する電位は、それぞれＥ１、Ｅ２、及びＥｓとしたときに、Ｅ１＜Ｅｓ＜Ｅ２の関係を満たすように設定されている。これにより、例え限られたネック内の空間にこれらのグリッドを近接して配置したとしても、耐電圧特性の劣化を招くことがなく、不所望な放電や印加電位の変動を防止することができる。したがって、品質及び信頼性の高い陰極線管を提供することができる。
【００１５】
【発明の実施の形態】
以下、この発明の一実施の形態に係る陰極線管について図面を参照して説明する。
【００１６】
図１に示すように、陰極線管装置、すなわちセルフコンバージェンス方式のインライン型カラー陰極線管装置は、真空外囲器９を備えている。この真空外囲器９は、パネル１、及びパネル１と一体に接合されたファンネル２を有している。蛍光体スクリーン３は、パネル１の内面に配置されている。この蛍光体スクリーン３は、青、緑、赤にそれぞれ発光するドット状またはストライプ状の３色蛍光体層を有している。シャドウマスク４は、蛍光体スクリーン３に対向して配置されている。このシャドウマスク４は、その面内に多数のアパーチャを有している。
【００１７】
インライン型電子銃構体７は、ファンネル２の径小部に相当する円筒状のネック５の内部に配設されている。この電子銃構体７は、同一水平面上を通るセンタービーム６Ｇおよび一対のサイドビーム６Ｂ，６Ｒからなる一列配置の３電子ビーム６Ｂ，６Ｇ，６Ｒを放出する。
【００１８】
偏向ヨーク８は、ファンネル２の径大部からネック５にかけて装着されている。この偏向ヨーク８は、電子銃構体７から放出された３電子ビーム６Ｂ，６Ｇ，６Ｒを水平方向（Ｘ）及び垂直方向（Ｙ）に偏向する非斉一な偏向磁界を発生する。この非斉一磁界は、ピンクッション型の水平偏向磁界及びバレル型の垂直偏向磁界によって形成される。
【００１９】
電子銃構体７から放出された３電子ビーム６Ｂ、６Ｇ、６Ｒは、蛍光体スクリーン３に向けてコンバージェンスされるとともに、蛍光体スクリーン３における対応する色の蛍光体層上にフォーカスされる。また、これらの３電子ビーム６Ｂ、６Ｇ、６Ｒは、偏向ヨーク８によって発生された非斉一磁界により偏向され、シャドウマスク４を介して蛍光体スクリーン３を水平方向Ｘ及び垂直方向Ｙに走査する。これにより、カラー画像が表示される。
【００２０】
図２に示すように、電子銃構体７は、水平方向Ｘに一列に配置された３個のカソードＫ（Ｒ、Ｇ、Ｂ）、これらカソードＫ（Ｒ、Ｇ、Ｂ）を個別に加熱する３個のヒータ、及び６個の電極を有している。６個の電極、すなわち第１グリッドＧ１、第２グリッド（第１プリフォーカス電極）Ｇ２、シールドグリッド（補助電極）ＧＳ、第３グリッド（第２プリフォーカス電極）Ｇ３、第４グリッド（フォーカス電極）Ｇ４、及び、第５グリッド（アノード電極）Ｇ５は、カソードＫ（Ｒ、Ｇ、Ｂ）から蛍光体スクリーンに向かって管軸方向Ｚに沿って順次配置されている。これらカソードＫ（Ｒ、Ｇ、Ｂ）、及び６個の電極は、一対の絶縁支持体によって一体に支持・固定されている。
【００２１】
第１グリッドＧ１及び第２グリッドＧ２は、それぞれ薄い板状電極によって構成されている。これらの板状電極は、その板面に、３個のカソードＫ（Ｒ、Ｇ、Ｂ）に対応して水平方向Ｘに一列に配列された３個の電子ビーム通過孔を有している。これら３個の電子ビーム通過孔は、径小の円形状に形成されている。
【００２２】
第３グリッドＧ３、第４グリッドＧ４、及び、第５グリッドＧ５は、一体構造の筒状電極によって構成されている。すなわち、これらの筒状電極は、複数のカップ状電極の開放端を突き合わせた構造を有している。第３グリッドＧ３は、第２グリッドＧ２との対向面に、３個のカソードＫ（Ｒ、Ｇ、Ｂ）に対応して水平方向Ｘに一列に配列された３個の電子ビーム通過孔を有している。これら３個の電子ビーム通過孔は、第２グリッドＧ２に形成された電子ビーム通過孔よりやや径大な円形状に形成されている。また、第３グリッドＧ３は、第４グリッドＧ４との対向面に、３個のカソードＫ（Ｒ、Ｇ、Ｂ）に対応して水平方向Ｘに一列に配列された３個の電子ビーム通過孔を有している。これら３個の電子ビーム通過孔は、径大な円形状に形成されている。
【００２３】
第４グリッドＧ４は、第３グリッドＧ３との対向面及び第５グリッドＧ５との対向面に、それぞれ３個のカソードＫ（Ｒ、Ｇ、Ｂ）に対応して水平方向Ｘに一列に配列された３個の電子ビーム通過孔を有している。これら３個の電子ビーム通過孔は、径大な円形状に形成されている。
【００２４】
第５グリッドＧ５は、第４グリッドＧ４との対向面及び蛍光体スクリーン側の対向面に、それぞれ３個のカソードＫ（Ｒ、Ｇ、Ｂ）に対応して水平方向Ｘに一列に配列された３個の電子ビーム通過孔を有している。これら３個の電子ビーム通過孔は、径大な円形状に形成されている。
【００２５】
シールドグリッドＧＳは、図３の（ａ）及び（ｂ）に示すように、カップ状電極によって構成されている。すなわち、このカップ状電極は、第３グリッドＧ３の第２グリッドＧ２側の外周を取り囲み管軸方向Ｚに平行な側壁ＧＳ−１を有している。また、このカップ状電極は、その底面ＧＳ−２を第２グリッドＧ２側に向けて配置されるとともに、その開放端ＧＳ−３を第３グリッドＧ３側に向けて配置されている。さらに、このカップ状電極は、第２グリッドＧ２との対向面すなわち底面ＧＳ−２に、３電子ビームを共通に通過する電子ビーム通過孔ＧＳ−４を有している。この電子ビーム通過孔ＧＳ−４は、３電子ビームの配列方向すなわち水平方向Ｘに長軸を有する長円形状すなわちトラック形状に形成されている。
【００２６】
ここで、シールドグリッドＧＳを構成するカップ状電極の開放端ＧＳ−３は、第３グリッドＧ３の第２グリッドＧ２側に配置されたカップ状電極Ｇ３−１の少なくとも底面部Ｇ３−２を含む先端部Ｇ３−３の外径より大きな内径を有している。このため、シールドグリッドＧＳの開放端ＧＳ−３側から第３グリッドＧ３のカップ状電極Ｇ３−１を挿入した際に、第３グリッドＧ３の先端部Ｇ３−３がシールドグリッドＧＳに接触することがない。つまり、シールドグリッドＧＳの側面ＧＳ−１及び底面ＧＳ−２と、第３グリッドＧ３の先端部Ｇ３−３及び底面部Ｇ３−２との間に所定のギャップが形成される。
【００２７】
ネック５内における電子銃構体７の近傍には、抵抗器Ｒが配置されている。この抵抗器Ｒの一端は、第５グリッドＧ５に電気的に接続されているとともに、抵抗器Ｒの他端は、接地されている。抵抗器Ｒにおける中間部の所定位置に配置された出力端子Ｒ１は、第３グリッドＧ３に接続されている。
【００２８】
上述した構成の電子銃構体７において、カソードＫ（Ｒ、Ｇ、Ｂ）には、約５０乃至２００Ｖ程度の直流電圧に映像信号が重畳された変調信号（ドライブ電圧）が印加される。第１グリッドＧ１は、接地されている。第２グリッドＧ２には、約３００乃至１０００Ｖ程度の直流電圧Ｅｃ（例えば８００Ｖ）が印加される。
【００２９】
第４グリッドＧ４には、約６乃至１０ｋＶ程度の一定のフォーカス電圧Ｖｆが印加される。シールド電極ＧＳは、管内にて第４グリッドＧ４と電気的に接続され、第４グリッドＧ４と同レベルのフォーカス電圧Ｖｆ（例えば８ｋＶ）が印加される。第５グリッドＧ５には、約２０乃至３５ｋＶ程度のアノード電圧Ｅｂが印加される。
【００３０】
第３グリッドＧ３には、抵抗器Ｒによって分圧された分圧電圧、すなわちフォーカス電圧Ｖｆとアノード電圧Ｅｂとの間の電位Ｅｒ（例えば１５ｋＶ）が印加される。この第３グリッドＧ３に印加される電圧Ｅｒは、アノード電圧Ｅｂの略７０％以下であり、例えば約１３乃至２２ｋＶ程度の一定電圧である。すなわち、第３グリッドＧ３に印加する電圧Ｅｒであるが、あまり高すぎると耐電圧特性を劣化させてしまうが、アノード電圧Ｅｂの略７０％以下であるならばほぼ従来と同程度の耐電圧特性を保つことが可能である。したがって、第３グリッドＧ３に印加する電圧Ｅｒは、アノード電圧Ｅｂの略７０％以下であることが望ましい。
【００３１】
これにより、第２グリッドＧ２に印加される電圧Ｅｃ、シールドグリッドＧＳに印加される電圧Ｖｆ、及び、第３グリッドＧ３に印加される電圧Ｅｒとの間には、Ｅｃ＜Ｖｆ＜Ｅｒの関係が成立する。
【００３２】
上述した構成の電子銃構体７は、各グリッドに上述したような電圧を印加することにより、電子ビーム発生部、プリフォーカスレンズ部、サブレンズ部、及び、主レンズ部を形成する。すなわち、電子ビーム発生部は、カソードＫ、第１グリッドＧ１、及び第２グリッドＧ２によって形成される。この電子ビーム発生部は、電子ビームを発生し、クロスオーバを形成する。
【００３３】
プリフォーカスレンズ部は、第２グリッドＧ２、シールドグリッドＧＳ、及び第３グリッドＧ３によって形成される。このプリフォーカスレンズ部は、電子ビーム発生部から発生された電子ビームを加速するとともにプリフォーカスする。
【００３４】
サブレンズ部は、第３グリッドＧ３及び第４グリッドＧ４によって形成される。このサブレンズ部は、プリフォーカスレンズ部によりプリフォーカスされた電子ビームをさらにプリフォーカスする。主レンズ部は、第４グリッドＧ４及び第５グリッドＧ５によって形成される。この主レンズは、サブレンズ部によりプリフォーカスされた電子ビームを加速するとともに最終的に蛍光体スクリーン上にフォーカスする。
【００３５】
上述した電子銃構体７によれば、第３グリッドＧ３には、抵抗器Ｒを介して通常より高い電圧が印加されており、第２グリッドＧ２と第３グリッドＧ３との間には、大きな電位差が形成されている。このため、プリフォーカスレンズ部のレンズ強度が強化される。これにより、主レンズ部に入射する電子ビーム６（Ｒ、Ｇ、Ｂ）の発散角が小さくなるため、蛍光体スクリーン３上の全域に亘ってビームスポットを径小化することが可能となる。したがって、陰極線管の解像度を向上させることができる。
【００３６】
また、上述した電子銃構体７によれば、第２グリッドＧ２と第３グリッドＧ３との間にシールドグリッドＧＳが配置されている。このシールドグリッドＧＳは、第３グリッドＧ３の第２グリッド側の外周を覆うように配置されるとともに、第２グリッドＧ２との対向面にプリフォーカスレンズ部のレンズ作用に影響を及ぼさないよう３電子ビームの通過領域に共通の開口からなる電子ビーム通過孔を備えている。また、このシールドグリッドＧＳには、第２グリッドＧ２に印加される電圧Ｅｃより高く、第３グリッドＧ３に印加される電圧Ｅｒより低い電圧Ｖｆが印加されている。
【００３７】
このため、第２グリッドＧ２と第３グリッドＧ３との間の耐電圧特性に関しては、特に第２グリッドＧ２に隣接しているシールドグリッドにフォーカス電圧が印加されている場合には、第２グリッドＧ２とシールドグリッドＧＳとの間の電位差が従来と同等となるため、良好に維持することができる。また、カソードＫから第２グリッドＧ２にかけてのネック電位に関しても、高い電位の第３グリッドＧ３の第２グリッドＧ２側がシールドグリッドＧＳによって覆われているため、従来とほぼ同等の電位に保つことができる。したがって、この電子銃構体７によれば、耐電圧特性を劣化させることがなく、陰極線管の品質及び信頼性を向上することができる。
【００３８】
なお、この発明は、上述した実施の形態に限定されるものではなく、種々変更可能である。例えば、上述した実施の形態では、電子銃構体７に適用されるシールドグリッドＧＳは、図３の（ａ）及び（ｂ）に示したような構造を有していたが、この構造に限定されるものではなく、隣接する第２グリッドＧ２や第３グリッドＧ３の構造、グリッド間隔などによって適当な構造を選ぶことが肝要である。
【００３９】
すなわち、シールドグリッドＧＳは、図４の（ａ）及び（ｂ）に示すようなカップ状電極によって構成されても良い。このカップ状電極は、第３グリッドＧ３の第２グリッドＧ２側の外周を取り囲み管軸Ｚに平行な側壁ＧＳ−１を有している。また、このカップ状電極は、その開放端ＧＳ−３を第３グリッドＧ３側に向けて配置されている。さらに、このカップ状電極は、第２グリッドＧ２との対向面に、３電子ビームを共通に通過する電子ビーム通過孔ＧＳ−４を有している。この例では、カップ状電極の底面に相当する縁部が存在せず、電子ビーム通過孔ＧＳ−４は、水平方向Ｘに長軸を有する長円形状すなわちトラック形状に形成されている。
【００４０】
また、シールドグリッドＧＳは、図５の（ａ）及び（ｂ）に示すようなカップ状電極によって構成されても良い。このカップ状電極は、第３グリッドＧ３の第２グリッドＧ２側の外周を取り囲み管軸Ｚに平行な側壁ＧＳ−１を有している。また、このカップ状電極は、その底面ＧＳ−２を第２グリッドＧ２側に向けて配置されるとともに、その開放端ＧＳ−３を第３グリッドＧ３側に向けて配置されている。さらに、このカップ状電極は、第２グリッドＧ２と対向する底面ＧＳ−２に、３電子ビームを共通に通過する電子ビーム通過孔ＧＳ−４を有している。この電子ビーム通過孔ＧＳ−４は、水平方向Ｘに長軸を有する長円形状すなわちトラック形状に形成されている。またさらに、このカップ状電極は、電子ビーム通過孔ＧＳ−４から開放端ＧＳ−３に向かって延出された管軸Ｚに平行な側壁ＧＳ−５を備えている。
【００４１】
また、上述した実施の形態では、主レンズ部が２つのグリッドすなわち第４グリッドＧ４及び第５グリッドＧ５にそれぞれ印加された固定電圧よって形成された電子銃構体７について説明したが、他の構成の電子銃構体であってもよい。例えば、主レンズ部の内部に４極子レンズを形成しても良い。
【００４２】
すなわち、図６に示すように、主レンズ部は、第４１グリッドＧ４１、第４２グリッドＧ４２、及び第５グリッドＧ５によって構成される。第４１グリッドＧ４１には、所定の直流電圧Ｖｆが印加される。第４２グリッドＧ４２には、所定の直流電圧Ｖｆにパラボラ状に変化する交流電圧成分Ｖｄを重畳したダイナミックフォーカス電圧（Ｖｆ＋Ｖｄ）が印加される。また、第５グリッドＧ５には、アノード電圧Ｅｂが印加される。さらに、第４１グリッドＧ４１及び第４２グリッドＧ４２間には、４極子レンズが形成される。このダイナミックフォーカス電圧（Ｖｆ＋Ｖｄ）は、鋸歯状の偏向電流に同期し、かつ、電子ビームの偏向量の変化に伴ってパラボラ状に変化する。このような４極子レンズにより、偏向収差をダイナミックに補償することができ、蛍光体スクリーン全域に亘って歪みの少ないビームスポットを形成することができる。
【００４３】
また、上述した実施の形態では、シールドグリッドＧＳに対して第４グリッドＧ４と共通のフォーカス電圧を印加したが、他の方法で電圧を供給しても良い。例えば、図７に示すように、シールドグリッドＧＳは、抵抗器Ｒにおける出力端子Ｒ１よりも低電圧の出力端子Ｒ２に接続され、約４乃至１０ｋＶ程度に分圧された一定の分圧電圧が印加されるように構成してもよい。
【００４４】
また、上述した実施の形態では、各グリッドに形成された電子ビーム通過孔がほぼ真円の場合について述べたが、この構造に限定されるものではなく、正方形や長方形等の矩形孔であってもよいし、横長や縦長の長円形孔であってもよい。さらには、電子ビーム通過孔の周辺にスリットが付加されてもよい。
【００４５】
また、上述した実施の形態では、インライン型カラー陰極線管装置について説明したが、上述した電子銃構体は３電子ビームに対応して３個独立の電子レンズを形成する構成であるから、デルタ型カラー陰極線管装置にも適用可能であり、さらには、白黒陰極線管装置などの単電子ビームを放出する他の陰極線管装置にも適用可能である。
【００４６】
さらに、他の実施の形態について説明する。
カソードＫ（Ｒ、Ｇ、Ｂ）、及び６個の電極を一体に支持固定する一対の絶縁支持体２０は、図８に示すように、管軸方向Ｚに延出された棒状体である。また、電子銃構体７は、シールドグリッドＧＳ近傍で、絶縁支持体２０とネック５との間においてその絶縁支持体２０を取り囲む導電性リボン２２を備えている。この導電性リボン２２は、シールドグリッドＧＳに電気的に接続されている。また、この導電性リボン２２は、一対の絶縁支持体２０をそれぞれ取り囲むように配置されている。それぞれの導電性リボン２２は、例えばリング状に形成され、シールドグリッドＧＳの一端から延びて絶縁支持体２０のネック５側対向面を取り囲みさらむシールド電極ＧＳの他端に至るように設けられている。
【００４７】
さらに、導電性リボン２２近傍において、ネック５側の絶縁支持体２０表面上（すなわち絶縁支持体のネックに対向する表面）と、絶縁支持体２０側のネック５表面上（すなわちネックの絶縁支持体に対向する表面）とに導電膜２３が形成されている。これらの導電膜２３は、例えば、ステンレス材などの金属材料を対応部分に蒸着することによって形成されている。
【００４８】
このような実施の形態によれば、先に説明した実施の形態と同様の効果が得られるほかに、さらに、絶縁支持体２０表面上とネック５表面上とに形成された導電膜２３には、導電性リボン２３を介して従来と同じフォーカス電圧が供給されるので、従来以上に電位を安定に保つことができる。したがって、この電子銃構体７によれば、さらに良好な耐電圧特性を得られ、陰極線管の品質及び信頼性をさらに向上することができる。
【００４９】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５０】
【発明の効果】
以上説明したように、この発明によれば、解像度を向上できるとともに、品質及び信頼性の高い陰極線管を提供することができる。
【図面の簡単な説明】
【図１】図１は、この発明の一実施の形態に係るカラー陰極線管装置の構造を概略的に示す水平断面図である。
【図２】図２は、図１に示した陰極線管装置に適用される電子銃構体の構造を概略的に示す水平断面図である。
【図３】図３の（ａ）は、図２に示した電子銃構体に適用されるシールドグリッドの構造を概略的に示す斜視図であり、図３の（ｂ）は、このシールドグリッドの断面構造を概略的に示す断面図である。
【図４】図４の（ａ）は、図２に示した電子銃構体に適用可能な他のシールドグリッドの構造を概略的に示す斜視図であり、図４の（ｂ）は、このシールドグリッドの断面構造を概略的に示す断面図である。
【図５】図５の（ａ）は、図２に示した電子銃構体に適用可能な他のシールドグリッドの構造を概略的に示す斜視図であり、図５の（ｂ）は、このシールドグリッドの断面構造を概略的に示す断面図である。
【図６】図６は、図１に示した陰極線管装置に適用可能な他の電子銃構体の構造を概略的に示す水平断面図である。
【図７】図７は、図１に示した陰極線管装置に適用可能な他の電子銃構体の構造を概略的に示す水平断面図である。
【図８】図８は、図１に示した陰極線管装置に適用可能な他の電子銃構体の構造を概略的に示す垂直断面図である。
【符号の説明】
１…パネル
２…ファンネル
３…蛍光体スクリーン
４…シャドウマスク
５…ネック
６（Ｒ、Ｇ、Ｂ）…電子ビーム
７…電子銃構体
Ｋ（Ｒ、Ｇ、Ｂ）…カソード
Ｇ１…第１グリッド
Ｇ２…第２グリッド（第１プリフォーカス電極）
ＧＳ…シールドグリッド（補助電極）
Ｇ３…第３グリッド（第２プリフォーカス電極）
Ｇ４…第４グリッド（フォーカス電極）
Ｇ５…第５グリッド（アノード電極）
Ｒ…抵抗器
【図１】
2004207214.tif 000003
【図２】
2004207214.tif 000004
【図３】
2004207214.tif 000005
【図４】
2004207214.tif 000006
【図５】
2004207214.tif 000007
【図６】
2004207214.tif 000008
【図７】
2004207214.tif 000009
【図８】
2004207214.tif 000010